(57)【要約】【課題】  異周波数帯のセル間を移動する場合であっても、ネットワーク側からの呼び出しに対する処理効率を高めること。【解決手段】  この移動通信端末２は、セル４ａ，４ｂ，４ｃから信号を受信して受信データを出力する送受信手段２１と、受信データから報知情報を分離する報知情報分離部２３と、報知情報に含まれるＰＣＣＨ設定情報に基づいて呼出メッセージを分離する呼出情報分離部２４と、呼出メッセージを用いて着信処理を行う着信処理部２５と、所定のタイミングで周辺セルの受信品質を測定する品質測定部２６と、周辺セルのうちから移動先セルを判定すると共に、移動先セルに関するＰＣＣＨ設置情報を予測した後に、移動先セルからの呼出メッセージの受信を開始するように制御する呼出チャネル制御部２７とを備え、着信処理部２５は、受信された呼出メッセージを用いて着信処理を行う。【選択図】  図２
2006020167.tif 000002
【特許請求の範囲】
【請求項１】
セルから信号を受信して、前記信号を復調及び逆拡散することにより受信データを出力する送受信手段と、
前記送受信手段から出力された受信データから、報知情報を分離して読み取る報知情報分離手段と、
前記報知情報に含まれる呼出チャネル情報に基づいて、所定のタイミングで前記受信データから、呼出情報を分離して読み取る呼出情報分離手段と、
前記呼出情報分離手段によって読み取られた呼出情報を用いて着信処理を行う着信処理手段と、
前記報知情報に含まれる、前記セルの周辺セルに関する周波数情報及び拡散符号情報に基づいて、所定のタイミングで前記周辺セルからの信号の受信品質を測定する品質測定手段と、
前記受信品質に基づいて、前記周辺セルのうちから移動先セルを判定すると共に、前記移動先セルに関する呼出チャネル情報を予測した後に、前記移動先セルに対応する周波数情報及び拡散符号情報と前記呼出チャネル情報とに基づいて、前記移動先セルからの呼出情報の受信を開始するように制御する呼出チャネル制御手段とを備え、
前記着信処理手段は、前記呼出チャネル制御手段の制御により受信された呼出情報を用いて着信処理を行う、
ことを特徴とする移動通信端末。
【請求項２】
前記呼出チャネル制御手段は、前記受信品質に基づいて、前記周辺セルのうちから移動先セルを判定すると共に、前記移動先セルに対応する周波数情報及び拡散符号情報と、前記セルに関する呼出チャネル情報とに基づいて、前記移動先セルからの呼出情報の受信を開始するように制御する、
ことを特徴とする請求項１記載の移動通信端末。
【請求項３】
前記報知情報に含まれる、前記セルに関する周波数情報、拡散符号情報、及び呼出チャネル情報を蓄積して格納するセル情報格納手段を更に備え、
前記呼出チャネル制御手段は、前記受信品質に基づいて、前記周辺セルのうちから移動先セルを判定すると共に、前記セル情報格納手段から前記移動先セルに関する周波数情報及び拡散符号情報に対応する呼出チャネル情報を読み出して、前記周波数情報と前記拡散符号情報と前記呼出チャネル情報とに基づいて、前記移動先セルからの呼出情報の受信を開始するように制御する、
ことを特徴とする請求項１記載の移動通信端末。
【請求項４】
前記報知情報分離手段は、前記移動先セルからの呼出情報の受信の開始の際に、前記移動先セルからの報知情報を分離して読み取り、
前記着信処理手段は、前記報知情報に含まれる前記移動先セルに関する呼出チャネル情報と、前記呼出情報の受信に用いられた呼出チャネル情報とが一致する場合に、着信処理を行う、
ことを特徴とする請求項１〜３のいずれか１項に記載の移動通信端末。
【請求項５】
送受信手段が、セルから信号を受信して、前記信号を復調及び逆拡散することにより受信データを出力する送受信ステップと、
報知情報分離手段が、前記送受信ステップで出力された受信データから、報知情報を分離して読み取る報知情報分離ステップと、
呼出情報分離手段が、前記報知情報に含まれる呼出チャネル情報に基づいて、所定のタイミングで前記受信データから、呼出情報を分離して読み取る呼出情報分離ステップと、
着信処理手段が、前記呼出情報分離ステップにおいて読み取られた呼出情報を用いて着信処理を行う第１の着信処理ステップと、
品質測定手段が、前記報知情報に含まれる、前記セルの周辺セルに関する周波数情報及び拡散符号情報に基づいて、所定のタイミングで前記周辺セルからの信号の受信品質を測定する品質測定ステップと、
呼出チャネル制御手段が、前記受信品質に基づいて、前記周辺セルのうちから移動先セルを判定すると共に、前記移動先セルに関する呼出チャネル情報を予測した後に、前記移動先セルに対応する周波数情報及び拡散符号情報と前記呼出チャネル情報とに基づいて、前記移動先セルからの呼出情報の受信を開始するように制御する呼出チャネル制御ステップと、
前記着信処理手段が、前記呼出チャネル制御ステップにおける制御により受信された呼出情報を用いて着信処理を行う第２の着信処理ステップと、
を備えることを特徴とする着信処理方法。
【請求項６】
前記呼出チャネル制御ステップでは、前記受信品質に基づいて、前記周辺セルのうちから移動先セルを判定すると共に、前記移動先セルに対応する周波数情報及び拡散符号情報と、前記セルに関する呼出チャネル情報とに基づいて、前記移動先セルからの呼出情報の受信を開始するように制御する、
ことを特徴とする請求項５記載の着信処理方法。
【請求項７】
セル情報格納手段が、前記報知情報に含まれる、前記セルに関する周波数情報、拡散符号情報、及び呼出チャネル情報を蓄積して格納するセル情報格納ステップを更に備え、
前記呼出チャネル制御ステップでは、前記受信品質に基づいて、前記周辺セルのうちから移動先セルを判定すると共に、前記セル情報格納手段から前記移動先セルに関する周波数情報及び拡散符号情報に対応する呼出チャネル情報を読み出して、前記周波数情報と前記拡散符号情報と前記呼出チャネル情報とに基づいて、前記移動先セルからの呼出情報の受信を開始するように制御する、
ことを特徴とする請求項５記載の着信処理方法。
【発明の詳細な説明】
【技術分野】
【０００１】
本発明は、移動通信端末、及び移動通信端末における着信処理方法に関するものである。
【背景技術】
【０００２】
Ｗ−ＣＤＭＡ（Wideband-Code Division Multiple Access）システム等のＣＤＭＡ方式を利用した移動通信システムにおいては、無線区域を複数のセルに分割して、セル毎に周波数帯域、及びスクランブルコード（拡散符号）を割り当てることにより、各セルに設置された基地局と移動通信端末との間で無線通信を行っている。
【０００３】
また、移動通信端末は、ＰＣＣＨ（Paging Control Channel）を介して、基地局から他の移動通信端末等からの呼び出し（Paging）を通知する呼出メッセージを受信する。このＰＣＣＨ（呼出チャネル）をオープンするための拡散符号等のＰＣＣＨ設定情報は、基地局からの報知情報として移動通信端末に報知される。従って、移動通信端末は、電源投入時、又はセルを跨った移動時には、まず、移行先の基地局から報知情報を受信する。その後に、その報知情報に含まれるＰＣＣＨ設定情報に基づいてＰＣＣＨをオープンすることによって、定期的に呼出チャネルを受信する。
【０００４】
上述した報知情報を効率的に受信するための技術としては、例えば、下記特許文献１及び２記載の移動通信端末がある。これらの移動通信端末においては、以前受信した報知情報を格納しておいて、セル間の移動時に移行先の報知情報として以前受信した報知情報の一部を再利用することにより、より効率的なセル間移行処理を可能とする。
【特許文献１】特開２００３−１５３３２４号公報
【特許文献２】特開２００４−１１２１４８号公報
【発明の開示】
【発明が解決しようとする課題】
【０００５】
しかしながら、上述した従来技術においては、以下のような問題点があった。すなわち、使用される電波の周波数帯が異なるセル間を跨って移動した場合に、移行先の基地局からの報知情報と、移行元の基地局からの呼出メッセージとは異なる周波数帯の信号として送信されるため、これらを同時に受信することが困難となる。特に、報知情報にはＰＣＣＨ設定情報以外の様々な情報が含まれており、報知情報の受信にはある程度の時間を要するため、移行先からの報知情報の受信時間中に呼出チャネルを受信することができないという事態が生じる。
【０００６】
一方、上記特許文献１及び２に記載の移動通信端末によれば、報知情報受信時間を短縮することは可能であるが、依然として報知情報の一部を受信する必要があるため、電波受信品質の低下時等においては、移行先のセルの報知情報の特定に時間を要し、上述した問題を完全に回避することはできない。
【０００７】
そこで、本発明はかかる課題に鑑みて為されたものであり、異周波数帯のセル間を移動する場合であっても、ネットワーク側からの呼び出しに対する処理効率を高めることが可能な移動通信端末及び着信処理方法を提供することを目的とする。
【課題を解決するための手段】
【０００８】
上記課題を解決するため、本発明の移動通信端末は、セルから信号を受信して、信号を復調及び逆拡散することにより受信データを出力する送受信手段と、送受信手段から出力された受信データから、報知情報を分離して読み取る報知情報分離手段と、報知情報に含まれる呼出チャネル情報に基づいて、所定のタイミングで受信データから、呼出情報を分離して読み取る呼出情報分離手段と、呼出情報分離手段によって読み取られた呼出情報を用いて着信処理を行う着信処理手段と、報知情報に含まれる、セルの周辺セルに関する周波数情報及び拡散符号情報に基づいて、所定のタイミングで周辺セルからの信号の受信品質を測定する品質測定手段と、受信品質に基づいて、周辺セルのうちから移動先セルを判定すると共に、移動先セルに関する呼出チャネル情報を予測した後に、移動先セルに対応する周波数情報及び拡散符号情報と呼出チャネル情報とに基づいて、移動先セルからの呼出情報の受信を開始するように制御する呼出チャネル制御手段とを備え、着信処理手段は、呼出チャネル制御手段の制御により受信された呼出情報を用いて着信処理を行うことを特徴とする。
【０００９】
或いは、本発明の着信処理方法は、送受信手段が、セルから信号を受信して、信号を復調及び逆拡散することにより受信データを出力する送受信ステップと、報知情報分離手段が、送受信ステップで出力された受信データから、報知情報を分離して読み取る報知情報分離ステップと、呼出情報分離手段が、報知情報に含まれる呼出チャネル情報に基づいて、所定のタイミングで受信データから、呼出情報を分離して読み取る呼出情報分離ステップと、着信処理手段が、呼出情報分離ステップにおいて読み取られた呼出情報を用いて着信処理を行う第１の着信処理ステップと、品質測定手段が、報知情報に含まれる、セルの周辺セルに関する周波数情報及び拡散符号情報に基づいて、所定のタイミングで周辺セルからの信号の受信品質を測定する品質測定ステップと、呼出チャネル制御手段が、受信品質に基づいて、周辺セルのうちから移動先セルを判定すると共に、移動先セルに関する呼出チャネル情報を予測した後に、移動先セルに対応する周波数情報及び拡散符号情報と呼出チャネル情報とに基づいて、移動先セルからの呼出情報の受信を開始するように制御する呼出チャネル制御ステップと、着信処理手段が、呼出チャネル制御ステップにおける制御により受信された呼出情報を用いて着信処理を行う第２の着信処理ステップとを備えることを特徴とする。
【００１０】
このような移動通信端末及び着信処理方法によれば、在圏のセルから受信された信号を復調及び逆拡散した後に報知情報が分離され、その報知情報に含まれる呼出チャネル情報に基づいて、所定のタイミングで呼出情報が受信され、着信処理が行われる。また、報知情報に含まれる周辺セルの周波数情報及び拡散符号情報に基づいて、周辺セルからの信号の受信品質が測定され、その測定結果から移動先セルが判定される。さらに、移動先セルに関する呼出チャネル情報が予測された後、予測された呼出チャネル情報を用いて移動先セルからの呼出情報の受信が開始され、着信処理が行われる。これにより、移動先セルから報知情報を受信する前に、移動先セルからの呼出情報の受信が開始され、使用周波数帯域の異なるセル間を移動した場合であっても、呼出情報を継続して受信して着信させることができる。
【００１１】
なお、ここで言う「セルから信号を受信」とは、セル内に設置された基地局から無線信号を受信することを意味する。
【００１２】
また、呼出チャネル制御手段は、受信品質に基づいて、周辺セルのうちから移動先セルを判定すると共に、移動先セルに対応する周波数情報及び拡散符号情報と、セルに関する呼出チャネル情報とに基づいて、移動先セルからの呼出情報の受信を開始するように制御することが好ましい。
【００１３】
また、呼出チャネル制御ステップでは、受信品質に基づいて、周辺セルのうちから移動先セルを判定すると共に、移動先セルに対応する周波数情報及び拡散符号情報と、セルに関する呼出チャネル情報とに基づいて、移動先セルからの呼出情報の受信を開始するように制御することが好ましい。
【００１４】
このような構成とすれば、移動先セルに関する呼出チャネル情報を、在圏のセルの呼出チャネル情報から予測するので、簡易に呼出チャネル情報を予測することができる。
【００１５】
さらに、報知情報に含まれる、セルに関する周波数情報、拡散符号情報、及び呼出チャネル情報を蓄積して格納するセル情報格納手段を更に備え、呼出チャネル制御手段は、受信品質に基づいて、周辺セルのうちから移動先セルを判定すると共に、セル情報格納手段から移動先セルに関する周波数情報及び拡散符号情報に対応する呼出チャネル情報を読み出して、周波数情報と拡散符号情報と呼出チャネル情報とに基づいて、移動先セルからの呼出情報の受信を開始するように制御することも好ましい。
【００１６】
さらに、セル情報格納手段が、報知情報に含まれる、セルに関する周波数情報、拡散符号情報、及び呼出チャネル情報を蓄積して格納するセル情報格納ステップを更に備え、呼出チャネル制御ステップでは、受信品質に基づいて、周辺セルのうちから移動先セルを判定すると共に、セル情報格納手段から移動先セルに関する周波数情報及び拡散符号情報に対応する呼出チャネル情報を読み出して、周波数情報と拡散符号情報と呼出チャネル情報とに基づいて、移動先セルからの呼出情報の受信を開始するように制御することも好ましい。
【００１７】
この場合、過去に移動したセルに関する呼出チャネル情報のうちから、移動先セルの周波数情報及び拡散符号情報と一致するものを、移動先セルに関する呼出チャネル情報として予測するので、より高い確度で移動先セルからの呼出情報を受信することができる。
【００１８】
またさらに、報知情報分離手段は、移動先セルからの呼出情報の受信の開始の際に、移動先セルからの報知情報を分離して読み取り、着信処理手段は、報知情報に含まれる移動先セルに関する呼出チャネル情報と、呼出情報の受信に用いられた呼出チャネル情報とが一致する場合に、着信処理を行うことも好ましい。
【００１９】
かかる構成とすれば、移動先セルからの呼出情報の受信開始後に、呼出チャネル情報が移動先セルから受信されたものと一致する場合に着信処理を行うので、呼出チャネル情報の予測に起因する、呼び出しに対する誤動作を防止することができる。
【発明の効果】
【００２０】
本発明によれば、異周波数帯のセル間を移動する場合であっても、ネットワーク側からの呼び出しに対する処理効率を高めることができる。
【発明を実施するための最良の形態】
【００２１】
本発明の実施形態について図面を参照して説明する。なお、各図において、同一要素には同一符号を付して重複する説明を省略する。
【００２２】
［第１実施形態］
図１は、本発明にかかる移動通信システムの好適な一実施形態を示すシステム構成図である。同図に示す移動通信システム１は、ユーザの使用する端末である移動通信端末２と、その移動通信端末２が移動通信ネットワーク（図示せず）側と送受信するデータを中継する基地局３ａ，３ｂ，３ｃとを含んで構成されており、基地局３ａ，３ｂ，３ｃは、それぞれ、基地局３ａ，３ｂ，３ｃと無線による通信が可能なエリア（区域）であるセル４ａ，４ｂ，４ｃを構成している。ここで、移動通信システム１は、通信方式としてＷ−ＣＤＭＡ等のＣＤＭＡ方式を採用している。
【００２３】
以下の説明において、移動通信端末２は、初期状態においてセル４ａ内の基地局３ａの近傍に位置しているものとする。
【００２４】
移動通信端末２は、ＣＤＭＡ方式による音声通信、パケットデータ通信が可能な通信端末である。この移動通信端末２は、図２に示すように、音声入出力手段としてのスピーカＳ及びマイクＭ、送受信手段２１、音声処理部２２、報知情報分離部（報知情報分離手段）２３と、呼出情報分離部（呼出情報分離手段）２４と、着信処理部（着信処理手段）２５と、品質測定部（品質測定手段）２６と、呼出チャネル制御部（呼出チャネル制御手段）２７と、報知情報格納部２８とを含んで構成されている。以下、各構成要素について詳細に説明する。
【００２５】
送受信手段２１は、セル４ａ，４ｂ，４ｃから無線信号を受信して、その無線信号を復調及び逆拡散することにより受信データを取り出す部分である。なお、「セル４ａ，４ｂ，４ｃから無線信号を受信」とは、セル４ａ，４ｂ，４ｃ内に設置された基地局３ａ，３ｂ，３ｃから無線信号を受信することを意味する。
【００２６】
この送受信手段２１は、各セル４ａ，４ｂ，４ｃに割り当てられた周波数帯域の無線信号を、アンテナを介して受信、増幅させる無線送受信部２１ａと、無線送受信部２１ａによって増幅された信号を、各セル４ａ，４ｂ，４ｃに割り当てられたスクランブルコード（Scramble Code）等の拡散符号を用いて逆拡散する拡散／逆拡散部２１ｂと、逆拡散された信号を物理チャネルのデジタルデータ列である受信データに復調する変復調部２１ｃとを含んでいる。送受信手段２１は、復調した受信データを音声処理部２２、報知情報分離部２３、及び呼出情報分離部２４に出力する。また、変復調部２１ｃは、音声処理部２２から出力された送信用データ列を送信用信号に変調し、拡散／逆拡散部２１ｂがその送信用信号を拡散処理した後、無線送受信部２１ａが拡散された信号を各基地局３ａ，３ｂ，３ｃに送信する。
【００２７】
音声処理部２２は、送受信手段２１を介して通信相手先側から送られてきた受信データを音声信号に変換してスピーカＳに出力すると共に、マイクＭから入力された音声信号を送信用データ列に変換して、送受信手段２１に出力する部分である。
【００２８】
報知情報分離部２３は、送受信手段２１から出力された受信データ中の特定の論理チャネルから、報知情報を分離して読み取る部分である。より詳細には、報知情報分離部２３は、拡散／逆拡散部２１ｂによって各セル４ａ，４ｂ，４ｃ毎に割り当てられたスクランブルコード、及び報知情報用のチャネライゼーションコード（Channelisation Code）の組合せである拡散符号を用いて逆拡散された受信データを受け取り、受け取った受信データ中の特定の論理チャネルから報知情報を分離する。
【００２９】
上記のようにして報知情報分離部２３が読み取る報知情報には、報知情報を送信したセル４ａ，４ｂ，４ｃに関するセル情報が含まれている。「セル情報」とは、セル内の基地局と無線で通信する際に必要な情報である。具体的には、このセル情報は、基地局から送信される無線信号の周波数帯域に関する周波数帯情報と、基地局毎に割り当てられたスクランブルコードと、通信相手先から呼び出しを受けるための論理チャネルであるＰＣＣＨに関するＰＣＣＨ設定情報（呼出チャネル情報）とから構成されている。さらに、このＰＣＣＨ設定情報は、ＰＣＣＨが収容されている物理チャネルに関する物理チャネル情報、ＰＣＣＨが収容されているトランスポートチャネルに関するトランスポートチャネル情報、及びそのＰＣＣＨを介して呼び出しを受ける時間間隔を示す受信周期情報（ＤＲＸ）を含んでいる。併せて、報知情報には、セル４ａ，４ｂ，４ｃの周辺セルに関する周波数帯情報及びスクランブルコードも含まれている。
【００３０】
また、報知情報分離部２３は、読み取った報知情報の中からセル４ａ，４ｂ，４ｃのいずれかのセル情報と、周辺セルに関する周波数帯情報及びスクランブルコードとを抽出して、それらを互いに関連づけて報知情報格納部２８に格納する。図３には、在圏しているセルがセル４ａの場合に、報知情報格納部２８に格納されたデータの構成図を示す。同図に示すように、セル４ａに関する周波数帯情報“＃１”、スクランブルコード“＃Ａ”、物理チャネル情報“＃ｘＡ”、トランスポートチャネル情報“＃ｙＡ”、及び受信周期情報“＃ｚＡ”が、セル４ａを識別するセルＩＤ“ＩＤＡ”に関連づけて格納される。さらに、セル４ａの周辺セル４ｂ，４ｃに関する周波数帯情報、及びスクランブルコードが、それぞれのセルＩＤ“ＩＤＢ”“ＩＤＣ”に関連づけて格納される。
【００３１】
図２に戻って、報知情報分離部２３は、読み取った報知情報に含まれる在圏セル４ａ，４ｂ，４ｃに関するＰＣＣＨ設定情報を着信処理部２５に出力する。
【００３２】
呼出情報分離部２４は、報知情報分離部２３によって読み取られた報知情報に含まれるセル情報に基づいて、在圏しているセル４ａ，４ｂ，４ｃから定期的にＰＣＣＨ（呼出チャネル）を受信し、ＰＣＣＨ中に含まれる呼出メッセージ（呼出情報）を受信する部分である。「呼出メッセージ」は、他の移動通信端末等の通信相手先から移動通信端末２に対して発呼が行われた場合に、移動通信ネットワーク側から通知される情報である。
【００３３】
より詳細には、呼出情報分離部２４は、在圏セルに関するセル情報に含まれる周波数帯情報、スクランブルコード、及びチャネライゼーションコード等の物理チャネル情報を用いて送受信手段２１によって逆拡散された受信データを受け取る。そして、呼出情報分離部２４は、受け取った受信データから、セル情報に含まれるトランスポートチャネル情報を利用して、ＰＣＣＨを分離して読み取る。この場合、呼出情報分離部２４は、セル情報に含まれる受信周期情報の示す周期で、定期的にＰＣＣＨを受信するように動作する。また、呼出情報分離部２４は、分離したＰＣＣＨ中のデータを着信処理部２５に出力する。
【００３４】
着信処理部２５は、呼出情報分離部２４から出力されたＰＣＣＨ中のデータに含まれる呼出メッセージを用いて着信処理を実行する部分である。すなわち、着信処理部２５は、呼出メッセージが移動通信端末２に対するページング（呼び出し）に該当する場合に、移動通信ネットワーク側への応答処理等の所定の着信処理を実施する。
【００３５】
品質測定部２６は、在圏するセル４ａ，４ｂ，４ｃ及び周辺セルからの無線信号の受信品質を測定する部分である。より詳細には、品質測定部２６は、報知情報格納部２８に格納されたデータを読み出して、そのデータに含まれる在圏セル及び周辺セルに関する周波数情報及びスクランブルコードを用いて、送受信手段２１を介して各セル４ａ，４ｂ，４ｃから、パイロット信号を受信する。このパイロット信号は、各セル４ａ，４ｂ，４ｃから送信される無線信号中のＣＰＩＣＨ（Common Pilot Channel）と呼ばれる物理チャネルを用いて送信される信号である。この場合、品質測定部２６は、在圏セルからのＰＣＣＨの受信タイミングと同期させて、つまり、在圏セルに関する受信周期情報の示す周期で定期的にパイロット信号を受信する。
【００３６】
また、品質測定部２６は、各セル４ａ，４ｂ，４ｃから受信したパイロット信号に基づいて、各セル４ａ，４ｂ，４ｃから移動通信端末２に送信される無線信号の受信品質を測定する。品質測定部２６が測定する品質パラメータは、パイロット信号の受信品質を表すものであれば特定のものには限られないが、例えば、ＣＰＩＣＨを逆拡散処理する際の拡散符号での受信電力ＣＰＩＣＨ  ＲＳＣＰ（Common Pilot Channel Received Signal Code Power）や、１チップ（chip）あたりの受信電力を周波数帯域の電力密度で除した値ＣＰＩＣＨ  Ｅｃ／Ｎｏが好ましく用いられる。さらに、品質測定部２６は、測定した各セル４ａ，４ｂ，４ｃに関する受信品質を、呼出チャネル制御部２７に出力する。
【００３７】
呼出チャネル制御部２７は、品質測定部２６から受け取った各セル４ａ，４ｂ，４ｃの受信品質から、移動通信端末２の移動先セルを判定すると共に、その移動先セルに関するＰＣＣＨ設定情報を予測して、移動先セルからのＰＣＣＨ受信を開始するように制御する部分である。
【００３８】
すなわち、呼出チャネル制御部２７は、各セル４ａ，４ｂ，４ｃの品質パラメータに基づいて、在圏セルよりも受信品質の高い周辺セルを判定し、その周辺セルを移動通信端末２の移動先セルであると判断する。また、呼出チャネル制御部２７は、報知情報格納部２８に格納されているデータを読み出して、移動先セルに対応する周波数帯情報及びスクランブルコードを特定する。例えば、図３の例によれば、セル４ｂを移動先セルとして判定した場合は、セル４ｂに対応するセルＩＤ「ＩＤＢ」に基づいて報知情報格納部２８を参照して、そのセルＩＤ「ＩＤＢ」に関連づけて格納されている周波数帯情報「＃２」及びスクランブルコード「＃Ｂ」を特定する。
【００３９】
また、呼出チャネル制御部２７は、直前までＰＣＣＨを受信していた在圏セルに関するＰＣＣＨ設定情報を、移動先セルのＰＣＣＨ設定情報として予測する。そして、呼出チャネル制御部２７は、上述のようにして特定した周波数帯情報及びスクランブルコードと、予測したＰＣＣＨ設定情報を用いて、移動先セルからＰＣＣＨを受信するように、送受信手段２１及び呼出情報分離部２４を制御する。例えば、移動通信端末２がセル４ａからセル４ｂへ移動した場合は、周波数帯情報「＃２」、スクランブルコード「＃Ｂ」、物理チャネル情報「＃ｘＡ」、トランスポートチャネル情報「＃ｙＡ」、及び受信周期情報「＃ｚＡ」を用いて、ＰＣＣＨの受信を制御する。
【００４０】
以下、本実施形態にかかる移動通信システム１の動作の説明に先立って、従来型の移動通信システムの動作概要について説明する。図１０において、（ａ）は、同周波数帯のセルによって構成される移動通信システムにおいて、セル間を移動した場合の受信データのタイムチャート、（ｂ）は、異周波数帯のセルによって構成される移動通信システムにおいて、同周波数帯のセル間を移動した場合の受信データのタイムチャート、（ｃ）は、異周波数帯のセルによって構成される移動通信システムにおいて、異周波数帯のセル間を移動した場合の受信データのタイムチャートである。この場合、移動通信システムを構成するセルは、図１と同様に、セル４ａ，４ｂ，４ｃからなるものとする。
【００４１】
図１０（ａ）の例に示すように、同周波数帯のセルによって構成されている場合、ＤＲＸ（受信周期情報）に該当する時刻Ｔ１〜Ｔ４において、在圏セル４ａからのＰＣＣＨ、及び各セル４ａ，４ｂ，４ｃからのパイロット信号を含むデータＤ１ａが受信される。その後、時刻Ｔ４におけるパイロット信号に基づいて周辺セル４ｂへの移動が検出されると、周辺セル４ｂから報知情報を含むデータＤ２ｂの受信が開始される。この場合、報知情報受信中のＤＲＸに該当する時刻Ｔ５，Ｔ６においても、同周波数帯を用いて送信されるセル４ａからのＰＣＣＨが継続的に受信される。報知情報が全て受信されると、その報知情報に含まれるセル４ｂに関するＰＣＣＨ設定情報を用いて、時刻Ｔ７においてセル４ｂからのＰＣＣＨ受信が開始される。
【００４２】
また、図１０（ｂ）の例に示すように、異周波数帯のセルによって構成されている場合、ＤＲＸに該当する各時刻Ｔ１〜Ｔ４において、在圏セル４ａからのＰＣＣＨを含むデータＤ１ａが受信された後、受信する無線信号の周波数帯を随時切り換えることによって、各セル４ａ，４ｂ，４ｃからのパイロット信号を含むデータＰが受信される。その後、時刻Ｔ４におけるパイロット信号に基づいて周辺セル４ｂへの移動が検出されると、周辺セル４ｂから報知情報を含むデータＤ２ｂの受信が開始される。この時、セル４ａとセル４ｂとで用いられる周波数帯が同一であるので、報知情報受信中のＤＲＸに該当する時刻Ｔ５，Ｔ６においても、同周波数帯を用いて送信されるセル４ａからのＰＣＣＨが継続的に受信される。報知情報が全て受信されると、その報知情報に含まれるセル４ｂに関するＰＣＣＨ設定情報を用いて、時刻Ｔ７においてセル４ｂからのＰＣＣＨ受信が開始される。
【００４３】
一方、図１０（ｃ）の例に示すように、異周波数帯のセルによって構成されており、セル４ａとセル４ｂに割り当てられた周波数帯が異なっている場合は、移動先セル４ｂからの報知情報受信中のＤＲＸに該当する時刻Ｔ５，Ｔ６において、異周波数帯を用いて送信されるセル４ａからのＰＣＣＨが受信できないこととなる。従って、従来型の移動通信システムにおいては、報知情報の情報量が多い場合、報知情報の受信に失敗してリトライ処理が起動された場合に、移動通信端末側でＰＣＣＨを受信できなくなる虞が生じる。
【００４４】
続いて、図４を参照して、本実施形態にかかる移動通信端末２の動作について説明し、併せて、本発明の実施形態にかかる着信処理方法について説明する。図４は、移動通信端末２の動作を示すフローチャートである。
【００４５】
まず、セル４ａ内の基地局３ａの近傍に位置する移動通信端末２の電源がオンされると、送受信手段２１の無線送受信部２１ａが立ち上がる（ステップＳ１０１）。そうすると、送受信手段２１の無線送受信部２１ａが、セル４ａからの無線信号の周波数帯をサーチして受信した後、拡散／逆拡散部２１ｂによる逆拡散処理、変復調部２１ｃの受信データへの復調処理を経て、報知情報分離部２３によって報知情報が分離される（ステップＳ１０２）。そして、分離された報知情報に含まれるセル４ａのセル情報と、その周辺セル４ｂ，４ｃの周波数情報及びスクランブルコードとが報知情報格納部２８に格納される（ステップＳ１０３）。
【００４６】
その後、呼出チャネル制御部２７は、報知情報格納部２８から在圏セル４ａのセル情報を読み出す（ステップＳ１０４）。そして、呼出チャネル制御部２７は、読み出したセル情報を用いて、ＤＲＸに該当する周期で定期的に、セル４ａからのＰＣＣＨの受信開始を制御すると共に、着信処理部２５が、そのＰＣＣＨ中に含まれる呼出メッセージを用いて着信処理を実行する（ステップＳ１０５）。また、品質測定部２６は、ＰＣＣＨの受信と同期させたタイミングで、定期的に各セル４ａ，４ｂ，４ｃからのパイロット信号の受信品質を測定する（ステップＳ１０６）。
【００４７】
このようにして測定された各セル４ａ，４ｂ，４ｃに関する受信品質を用いて、呼出チャネル制御部２７は、周辺セル４ｂ，４ｃの受信品質が在圏セル４ａの受信品質よりも高いか否かを判定する（ステップＳ１０７）。ここでは、例えば、周辺セル４ｂ，４ｃに関して測定された受信電力ＣＰＩＣＨ  ＲＳＣＰが、在圏セル４ａの受信電力ＣＰＩＣＨ  ＲＳＣＰより大きいか否かを判定する。判定の結果、周辺セル４ｂ，４ｃの受信品質が在圏セル４ａの受信品質よりも低い場合（ステップＳ１０７；ＮＯ）には、処理をステップＳ１０５に戻し、ＰＣＣＨ及びパイロット信号の受信を継続して行う。
【００４８】
一方、周辺セル４ｂ，４ｃの受信品質が在圏セル４ａの受信品質よりも高い場合（ステップＳ１０７；ＹＥＳ）には、呼出チャネル制御部２７は、セル４ａからのＰＣＣＨの受信を停止させる（ステップＳ１０８）。その後、呼出チャネル制御部２７は、報知情報格納部２８から、直前まで在圏していたセル４ａに対応するＰＣＣＨ設定情報を参照して、そのＰＣＣＨ設定情報を移動先セル４ｂのＰＣＣＨ設定情報として予測する（ステップＳ１０９）。さらに、呼出チャネル制御部２７は、送受信手段２１、呼出情報分離部２４、及び報知情報分離部２３に対して、移動先セル４ｂに対応する周波数帯情報及びスクランブルコードと予測したＰＣＣＨ設定情報とを用いて、移動先セル４ｂからＰＣＣＨと報知情報とを同時に受信開始するように制御する（ステップＳ１１０）。この後、ステップＳ１１４による判定処理の前に、ＰＣＣＨを介して呼出メッセージが受信された場合は、その呼出メッセージを保留する。
【００４９】
これに対して、報知情報分離部２３によって報知情報の受信が完了すると、着信処理部２５は、報知情報に含まれるセル４ｂに関するＰＣＣＨ設定情報と、呼出チャネル制御部２７において予測されたＰＣＣＨ設定情報とが一致しているか否かを判定する（ステップＳ１１１）。判定の結果、ＰＣＣＨ設定情報が一致していない場合（ステップＳ１１１；ＮＯ）、着信処理部２５は、保留されていた呼出メッセージを破棄するとともに、呼出チャネル制御部２７は、報知情報に含まれるＰＣＣＨ設定情報を、セル４ｂに関する真のＰＣＣＨ設定情報として再設定する（ステップＳ１１２）。そして、呼出チャネル制御部２７は、そのＰＣＣＨ設定情報を用いてセル４ｂからＰＣＣＨを受信開始するよう制御する（ステップＳ１１３）。
【００５０】
一方、ＰＣＣＨ設定情報が一致している場合（ステップＳ１１１；ＹＥＳ）、着信処理部２５は、呼出情報分離部２４において受信された呼出メッセージが、移動通信端末２に対する呼び出しに該当するかを判定する（ステップＳ１１４）。判定の結果、移動通信端末２に対する呼び出しに該当しない場合（ステップＳ１１４；ＮＯ）、次のＰＣＣＨの受信周期まで待機する。これに対して、移動通信端末２に対する呼び出しに該当する場合（ステップＳ１１４；ＮＯ）、着信処理部２５は、所定の着信処理を実行する（ステップＳ１１５）。
【００５１】
次に、図５を参照して、移動通信システム１において、移動通信端末２がセル４ａからセル４ｂに向けて移動した場合の、受信データの経過について説明する。この場合、セル４ａ、セル４ｂにおいては異なる周波数帯が割り当てられているものとする。
【００５２】
同図に示されるように、ＤＲＸに該当する各時刻Ｔ１〜Ｔ４において、在圏セル４ａからのＰＣＣＨを含むデータＤ１ａが受信された後、受信する無線信号の周波数帯を随時切り換えることによって、各セル４ａ，４ｂ，４ｃからのパイロット信号を含むデータＰが受信される。その後、時刻Ｔ４におけるパイロット信号に基づいて周辺セル４ｂへの移動が検出されると、周辺セル４ｂから、報知情報を含むデータＤ２ｂ、及びＰＣＣＨを含むデータＤ１ｂの受信が同時に開始される。この場合、報知情報受信中のＤＲＸに該当する時刻Ｔ５，Ｔ６においても、セル４ｂから呼出メッセージが受信されうることを意味する。その後、報知情報が全て受信されると、その報知情報に含まれるセル４ｂに関するＰＣＣＨ設定情報を参照することにより、ＰＣＣＨ設定情報の真偽が確認された後、時刻Ｔ７，Ｔ８においてセル４ｂからのＰＣＣＨ受信が継続される。
【００５３】
以上説明した移動通信端末２及び移動通信端末２における着信処理方法によれば、在圏のセル４ａから受信された信号を復調及び逆拡散した後に報知情報が分離され、その報知情報に含まれるＰＣＣＨ設定情報に基づいて、所定のタイミングでＰＣＣＨが受信され、着信処理が行われる。また、報知情報に含まれる周辺セル４ｂ，４ｃの周波数帯情報及びスクランブルコードに基づいて、周辺セル４ｂ，４ｃからの信号の受信品質が測定され、その測定結果から移動先セル４ｂが判定される。さらに、移動先セル４ｂに関するＰＣＣＨ設定情報が予測された後、予測されたＰＣＣＨ設定情報を用いて移動先セル４ｂからのＰＣＣＨの受信が開始され、着信処理が行われる。これにより、移動先セルから報知情報を受信する前に、移動先セルからのＰＣＣＨの受信が開始され、使用周波数帯域の異なるセル間を移動した場合であっても、呼出メッセージを継続して受信して着信させることができる。
【００５４】
また、移動先セル４ｂに関するＰＣＣＨ設定情報を、直前まで在圏していたセル４ａのＰＣＣＨ設定情報から予測するので、簡易にＰＣＣＨ設定情報を予測することができる。
【００５５】
さらに、移動先セル４ｂからのＰＣＣＨの受信開始後に、ＰＣＣＨ設定情報が移動先セル４ｂから受信されたものと一致する場合に着信処理を行うので、ＰＣＣＨ設定情報の予測に起因する、呼び出しに対する誤動作を防止することができる。
【００５６】
［第２実施形態］
次に、本発明の第２実施形態について説明する。図６は、本発明による移動通信端末の第２実施形態を示す概略構成図である。なお、本実施形態における移動通信端末１０２の第１実施形態との主な相違点は、ＰＣＣＨ設定情報の予測を、移動通信端末１０２における報知情報の過去の受信履歴から行う点である。以下、本実施形態にかかる移動通信端末１０２の構成要素における第１実施形態との相違点について詳述する。
【００５７】
報知情報分離部１２３は、在圏セル４ａ，４ｂ，４ｃに関するセル情報を報知情報格納部２８に格納する際に、そのセル情報を、セル情報格納部１２９に併せて蓄積して格納する。図７には、このようにしてセル情報格納部１２９に格納されたデータの構成図を示す。同図に示すように、移動通信端末１０２が過去に在圏していたセルを特定するセルＩＤ“ＩＤＡ”〜“ＩＤＤ”と、それらのセルに関する周波数帯情報、スクランブルコート、及びＰＣＣＨ設定情報とが、それぞれ、関連づけて格納されている。
【００５８】
呼出チャネル制御部１２７は、移動先セルとして判定したセルに関する周波数情報及びスクランブルコードに基づいて、セル情報格納部１２９を参照して、その周波数情報及びスクランブルコードに対応付けられているＰＣＣＨ設定情報を読み出して、移動先セルのＰＣＣＨ設定情報として予測する。例えば、図７の例によれば、移動通信端末１０２がセル４ａからセル４ｂへ移動した場合、セル４ｂの周波数帯情報「＃２」、及びスクランブルコード「＃Ｂ」に関連づけられている、物理チャネル情報「＃ｘＢ」、トランスポートチャネル情報「＃ｙＢ」、及び受信周期情報「＃ｚＢ」を、移動先セル４ｂのＰＣＣＨ設定情報として予測する。
【００５９】
次に、図８及び図９を参照しながら移動通信端末１０２の動作について説明するとともに、併せて移動通信端末１０２における着信処理方法について詳述する。図８及び図９は、移動通信端末１０２の動作を示すフローチャートである。なお、図８におけるステップＳ２０１〜Ｓ２０２、ステップＳ２０４〜Ｓ２０８の各処理は、第１実施形態において詳述したステップＳ１０１〜Ｓ１０２、ステップＳ１０４〜１０８の各処理（図４参照）と、それぞれ同一であるので、第１実施形態とは異なるステップＳ２０３，Ｓ２０９〜Ｓ２１９の処理について説明する。
【００６０】
図８を参照して、ステップＳ２０３では、報知情報分離部１２３によって分離された報知情報に含まれるセル４ａのセル情報が、セル情報格納部１２９に蓄積格納される。
【００６１】
呼出チャネル制御部１２７が、セル４ａからセル４ｂへの移動を検出した後、セル４ｂに対応する周波数帯情報及びスクランブルに基づいて、セル情報格納部１２９からセル４ｂに関するＰＣＣＨ設定情報を検索する（ステップＳ２０９）。
【００６２】
図９に移って、呼出チャネル制御部１２７は、セル情報格納部１２９においてセル４ｂに関するＰＣＣＨ設定情報が存在しているか否かを判定する（ステップＳ２１０）。判定の結果、セル４ｂに関するＰＣＣＨ設定情報が存在しない場合（ステップＳ２１０；ＮＯ）、呼出チャネル制御部１２７は、移動先セル４ｂから報知情報を受信するように制御する（ステップＳ２１１）。その後、報知情報の受信が完了すると、報知情報分離部１２３によって、その報知情報の中からセル４ｂに関するＰＣＣＨ設定情報が抽出される（ステップＳ２１２）。そして、呼出チャネル制御部１２７は、抽出されたＰＣＣＨ設定情報を用いてＰＣＣＨの受信を開始するように制御する（ステップＳ２１３）。
【００６３】
一方、セル情報格納部１２９においてセル４ｂに関するＰＣＣＨ設定情報が存在している場合（ステップＳ２１０；ＹＥＳ）、移動先セル４ｂに対応する周波数帯情報及びスクランブルコードと格納されているＰＣＣＨ設定情報とを用いて、移動先セル４ｂからＰＣＣＨと報知情報とを同時に受信開始するように制御する（ステップＳ２１４）。この後、ステップＳ２１８による判定処理の前に、ＰＣＣＨを介して呼出メッセージが受信された場合は、その呼出メッセージを保留する。
【００６４】
これに対して、報知情報分離部１２３によって報知情報の受信が完了すると、着信処理部２５は、報知情報に含まれるセル４ｂに関するＰＣＣＨ設定情報と、呼出チャネル制御部１２７において予測されたＰＣＣＨ設定情報とが一致しているか否かを判定する（ステップＳ２１５）。判定の結果、ＰＣＣＨ設定情報が一致していない場合（ステップＳ２１５；ＮＯ）、着信処理部２５は、保留されていた呼出メッセージを破棄するとともに、呼出チャネル制御部１２７は、報知情報に含まれるＰＣＣＨ設定情報を、セル４ｂに関する真のＰＣＣＨ設定情報として再設定する（ステップＳ２１６）。そして、呼出チャネル制御部１２７は、そのＰＣＣＨ設定情報を用いてセル４ｂからＰＣＣＨを受信開始するよう制御する（ステップＳ２１７）。
【００６５】
一方、ＰＣＣＨ設定情報が一致している場合（ステップＳ２１５；ＹＥＳ）、着信処理部２５は、呼出情報分離部２４において受信された呼出メッセージが、移動通信端末１０２に対する呼び出しに該当するかを判定する（ステップＳ２１８）。判定の結果、移動通信端末１０２に対する呼び出しに該当しない場合（ステップＳ２１８；ＮＯ）、次のＰＣＣＨの受信周期まで待機する。これに対して、移動通信端末１０２に対する呼び出しに該当する場合（ステップＳ２１８；ＮＯ）、着信処理部２５は、所定の着信処理を実行する（ステップＳ２１９）。
【００６６】
以上説明した移動通信端末１０２、及び移動通信端末１０２における着信処理方法によれば、過去に移動したセルに関するＰＣＣＨ設定情報のうちから、移動先セル４ｂの周波数情報及びスクランブルコードと一致するものを、移動先セル４ｂに関するＰＣＣＨ設定情報として予測するので、より高い確度で移動先セルからの呼出情報を受信することができる。
【００６７】
なお、本発明は上述した各実施形態に限定されるものではない。例えば、移動通信端末２，１０２においては、移動先セル４ｂに関するＰＣＣＨ設定情報を予測した後に、移動先セル４ｂからの報知情報に含まれるＰＣＣＨ設定情報に基づいて真偽を確認すること無く、着信処理を実行するようにしてもよい。
【００６８】
また、移動通信端末１０２においては、セル情報格納部１２９において移動先セルに対応するセル情報が存在しない場合は、移動先セルから報知情報を受信するように動作しているが、これば、移動通信端末２のように、直前まで在圏していたセルに関するＰＣＣＨ設定情報を用いてＰＣＣＨを受信するようにしてもよい。
【００６９】
また、移動通信端末２，１０２においては、過去に受信した報知情報の履歴情報を格納しておいて、セル間を移動時に移動先セルの報知情報を受信する場合には、移動先セルから報知情報の一部分を受信した後に、履歴情報から移動先セルの報知情報を検索するようにしてもよい。こうすれば、報知情報の受信時間を短縮して、呼び出しに対するより迅速な処理が可能となる。
【図面の簡単な説明】
【００７０】
【図１】本発明にかかる移動通信システムの好適な一実施形態を示すシステム構成図である。
【図２】図１の移動通信端末の第１実施形態を示す概略構成図である。
【図３】図２の報知情報格納部に格納されたデータの構成図である。
【図４】図２の移動通信端末の動作を示すフローチャートである。
【図５】図１の移動通信システムにおいて、セル間を移動した場合の受信データのタイムチャートである。
【図６】図１の移動通信端末の第２実施形態を示す概略構成図である。
【図７】図６のセル情報格納部に格納されたデータの構成図である。
【図８】図６の移動通信端末の動作を示す第１のフローチャートである。
【図９】図６の移動通信端末の動作を示す第２のフローチャートである。
【図１０】（ａ）は、同周波数帯セルを有する移動通信システムにおいて、セル間を移動した場合の受信データのタイムチャート、（ｂ）は、異周波数帯セルを有する移動通信システムにおいて、同周波数帯セル間を移動した場合の受信データのタイムチャート、（ｃ）は、異周波数帯セルを有する移動通信システムにおいて、異周波数帯セル間を移動した場合の受信データのタイムチャートである。
【符号の説明】
【００７１】
１…移動通信システム、２，１０２…移動通信端末、３ａ，３ｂ，３ｃ…基地局、４ａ，４ｂ，４ｃ…セル、２１…送受信手段、２１ａ…無線送受信部、２１ｂ…拡散／逆拡散部、２１ｃ…変復調部、２２…音声処理部、２３，１２３…報知情報分離部、２４…呼出情報分離部、２５…着信処理部、２６…品質測定部、２７，１２７…呼出チャネル制御部、２８…報知情報格納部、１２９…セル情報格納部、Ｍ…マイク、Ｓ…スピーカ。
【図１】
2006020167.tif 000003
【図２】
2006020167.tif 000004
【図３】
2006020167.tif 000005
【図４】
2006020167.tif 000006
【図５】
2006020167.tif 000007
【図６】
2006020167.tif 000008
【図７】
2006020167.tif 000009
【図８】
2006020167.tif 000010
【図９】
2006020167.tif 000011
【図１０】
2006020167.tif 000012